(57)【要約】      （修正有）【課題】ファラデーの円盤は、磁場の影響を受けない部分で逆電流が発生します。それから、ファラデーの円盤を電磁石に一般化する課題があります。【解決手段】単極発電機に電解質を用います。そして、単極発電機の逆電流を陽イオンと陰イオンに分けます。それから、このような発電機を電磁石に一般化しました。【選択図】図１
2013135206.tif 000002
【特許請求の範囲】
【請求項１】
私は、すべての電磁石に電解質と電磁波防止素材を用います。この特許を請求します。そして、このような電磁石を製造し、販売します。
【発明の詳細な説明】
【技術分野】
【０００１】電解質と電磁波防止素材を用いた電磁石です。
【背景技術】
【０００２】背景技術は、単極発電機、イオン、電解質、電磁波防止素材、電磁石です。
【先行技術文献】
【特許文献】
【０００３】
【非特許文献１】ウェブページのウィキペディアです。その中の発電機とイオンを調べました。
【非特許文献２】検索エンジングーグルで電磁波防止素材を検索しました。
【非特許文献３】電子辞書、ＣＡＳＩＯ、ＥＸ−ｗｏｒｄ、
【非特許文献４】関藤祐司、三國均、２００５、増補改訂版新・化学入門、駿台文庫、ＰＰ１３３−１４８参照、
【非特許文献５】竹内均、１９８９、基礎からよくわかる物理、旺文社、ＰＰ１８２−２６６参照、
【非特許文献６】金村聖志、２０１１、電気化学基礎と応用、化学同人、ＰＰ６８−１０４参照、
【非特許文献７】直川一也、１９９４、電気の歴史第２版、東京電機大学出版局、Ｐ８９参照、
【非特許文献８】大浜庄司、２００４、なるほどナットク！シーケンス制御がわかる本、オーム社、ＰＰ５０−６６参照、
【非特許文献９】廣瀬隆行、２０１１、企業人、大学人のための知的財産権入門−特許法を中心に−第２版、東京化学同人、
【発明の概要】
【発明が解決しようとする課題】ファラデーの円盤は、磁場の影響を受けない部分で逆電流が発生します。それから、ファラデーの円盤を電磁石に一般化する課題があります。
【課題を解決するための手段】単極発電機に電解質を用います。そして、単極発電機の逆電流を陽イオンと陰イオンに分けます。それから、このような発電機を電磁石に一般化しました。
【発明の効果】未文明
【図面の簡単な説明】
【図１】電磁石を電解質で覆います。電磁石から流れる電流は電線を流れます。この電線の先に電解質を付けます。電解質は、電流を陽イオンと陰イオンに分けます。この電解質に銅線と亜鉛の線を付けます。この銅線は陽極です。また、亜鉛の線は陰極です。この電磁石全体を電磁波防止素材で覆います。
【発明を実施するための形態】
図面参照
【産業上の利用可能性】すべての電磁石に電解質と電磁波防止素材は、利用可能です。
【符号の説明】
2013135206.tif 000003
【受託番号】【配列表フリーテキスト】
【配列表】
図面参照
【図１】
2013135206.tif 000004
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
私は、すべての電磁石に電解質と電子波防止素材を用います。この特許を請求します。そして、このような電磁石を製造し、販売します。
例えば、以下のような方法に用いる
電磁石も含みます。それは、水素、ヘリウムなどの元素をリサイクルしながら圧縮を繰返してエネルギーを得る方法や電磁波防止素材などを用いて原子核の電磁波の影響を防いでβ崩壊させる方法、電磁波を与えて原子核を形成させて電子を与える方法などです。これらの方法に用いる原子核融合炉や原子核解体炉、原子核形成炉に電磁石を用いる事も考えています。このように電磁石を用いた機器の製造と販売の特許請求を求めます。
【手続補正２】
【補正対象書類名】明細書
【補正対象項目名】０００３
【補正方法】変更
【補正の内容】
ウェブページのウィキペディアです。
その中の発電機とイオン、β崩壊を調べました。
［非特許文献２］
検索エンジングーグルで電磁波防止素材を検索しました。
［非特許文献３］
電子辞書、ＣＡＳＩＯ、ＥＸ−ｗｏｒｄ
陽子、その他の用語を参照しました。
［非特許文献４］
関藤裕司、三國均、２００５、
増補改訂版新・化学入門、
駿台文庫、ｐｐ１３３−１４８、ｐｐ３００
−３０１参照
［非特許文献５］
竹内均、１９８９、
基礎からよくわかる物理、旺文社、
ｐｐ１８２−２６６、ｐｐ２９２−３０７、
参照
［非特許文献６］
金村聖志、２０１１、
電気化学基礎と応用、化学同人、
ｐｐ６８−１０４参照
［非特許文献７］
直川一也、１９９４、
電気の歴史第２版、東京電機大学
出版局、ｐ８９参照
［非特許文献８］
大浜庄司、２００４、
なるほどナットク！シーケンス制御
がわかる本、オーム社、ｐｐ５０−６６
参照
［非特許文献９］
廣瀬隆行、２０１１、
企業人・大学人のための知的財産権入門
−特許法を中心に−第２版．
東京化学同人
［非特許文献１０］
栗原浩之、村中克年、２００４、
ひとりでできる特許・実用新案のとり方、
成美堂出版、ｐｐ１０８−１１１参照
［非特許文献１１］
特許庁ホームページ
［非特許文献１２］
長沢工、２００１、
宇宙の基礎教室、地人書館、
ｐｐ３−８４参照
［非特許文献１３］
横山広美、２００６、
図解入門よくわかる素粒子の基本と仕組み、
秀和システム、ｐｐ２２−２４参照
［非特許文献１４］
松田卓也（監修）、三省堂編修所（編）、
２００９、三省堂新物理小事典、
ｐ３６４参照
【手続補正書】
【提出日】平成24年1月27日(2012.1.27)
【手続補正１】
【補正対象書類名】明細書
【補正対象項目名】０００３
【補正方法】変更
【補正の内容】
【０００３】［非特許文献１］ウェブページのウィキペディアです。その中の発電機とイオン、β崩壊を調べました。［非特許文献２］検索エンジングーグルで電磁波防止素材を検索しました。［非特許文献３］電子辞書、ＣＡＳＩＯ、ＥＸ−ｗｏｒｄ電解質、電磁波、単極、発電機、イオン、ファラデー、陽イオン、陰イオン、電気、電流、電子、電線、銅、亜鉛、陽極、陰極、陽子、中性子、β線、γ線、α崩壊、β崩壊、原子炉、圧縮、心臓、弁、ピストン、多角形、サッカー、水素、ヘリウム、元素、原子核、太陽、地球、自転、公転、太陽風、無重力、ケプラーの法則、万有引力、天王星など参照［非特許文献４］関藤裕司、三國均、２００５、増補改訂版新・化学入門、駿台文庫、ｐｐ１３３−１４８、ｐｐ３００−３０１参照［非特許文献５］竹内均、１９８９、基礎からよくわかる物理、旺文社、ｐｐ１８２−２６６、ｐｐ２９２−３０７、など参照［非特許文献６］金村聖志、２０１１、電気化学基礎と応用、化学同人、ｐｐ６８−１０４参照［非特許文献７］直川一也、１９９４、電気の歴史第２版、東京電機大学出版局、ｐ８９参照［非特許文献８］大浜庄司、２００４、なるほどナットク！シーケンス制御がわかる本、オーム社、ｐｐ５０−６６参照［非特許文献９］廣瀬隆行、２０１１、企業人・大学人のための知的財産権入門−特許法を中心に−第２版、東京化学同人［非特許文献１０］栗原浩之、村中克年、２００４、ひとりでできる特許・実用新案のとり方、成美堂出版、ｐｐ１０８−１１１参照［非特許文献１１］特許庁ホームページ［非特許文献１２］長沢工、２００１、宇宙の基礎教室、地人書館、ＰＰ３−８４参照、ｐ４２、ｐ５４参照［非特許文献１３］横山広美、２００６、図解入門よくわかる素粒子の基本と仕組み、秀和システム、ｐｐ２２−２４参照［非特許文献１４］松田卓也（監修）、三省堂編修所（編）、２００９、三省堂新物理小事典、ｐ３６４参照［非特許文献１５］バイオサイエンス研究所（編）、２００７、バイオサイエンス、オーム社、ｐ３４２参照
【手続補正書】
【提出日】平成24年2月1日(2012.2.1)
【手続補正１】
【補正対象書類名】特許請求の範囲
【補正対象項目名】請求項１
【補正方法】変更
【補正の内容】
【請求項１】
私は、すべての電磁石に電解質と電磁波防止素材を用います。この特許を請求します。そして、このような電磁石を製造し、販売します。
例えば、以下の方法に用いる電磁石の製造と販売も含みます。それは、水素、ヘリウム、などの元素をリサイクルしながら圧縮を繰返してエネルギーを得る方法や電磁波防止素材などを用いて原子核と電子をつける電磁気の影響を防いでβ崩壊させる方法、電磁気を与えて原子核と電子をつける方法、陽イオンのように原子核から電子を取り除いた原子の酸化反応、陰イオンのように原子核により多くの電子をつける原子の還元反応などの方法です。電磁気を与えて原子核と電子をつける方法は、正電荷に光やＸ線などをあてて水素を発生させる方法です。中性子をβ崩壊させる方法と電磁気を与えて原子核と電子をつける方法などを用いて水素をリサイクルするのです。これらの方法に用いる原子核融合炉や原子核解体炉、原子核形成炉、原子の酸化反応による陽イオン、原子の還元反応による陰イオンなどに、この電磁石を用いる事も考えています。このように特許出願している電磁石を用いた機器の製造と販売の特許請求を求めます。
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
私は、すべての電磁石に電解質と電磁波防止素材を用います。この特許を請求します。そして、このような電磁石を製造し、販売します。
例えば、以下の方法に用いる電磁石も含みます。水素の電子を取り除き、４つの陽子と２つの電子の組合わせとなるように電磁波で付け、ヘリウムと２つのニュートリノ、エネルギーを取り出し、水素、ヘリウム等の元素を繰返して圧縮しながらエネルギーを得る方法です。元素はリサイクルします。また、電磁波防止素材等を用いて、陽子と中性子を付ける電磁気の影響を防いで中性子をβ崩壊させ、陽子と電子、ニュートリノを取り出す方法、また、電磁気を与えて陽子と中性子を付ける方法、元素を酸化や還元させて電子を増減させる方法です。
元素をリサイクルする方法は以下の通りです。電磁波防止素材などを用いて、中性子を自由にします。この自由な中性子は、１５分程度後にβ崩壊し、陽子と電子とニュートリノが生じます。また、電磁気を与えて陽子と中性子を付ける方法
また、元素をリサイクルする過程内だけではなく、水素を発生させる方法があります。まず、ニッケルを触媒として、炭化水素と水蒸気を反応させて水素を発生させる方法、があります。次に、塩化ナトリウム水溶液を電気分解し、炭素と鉄の電極から塩素と水素が生じます。あらゆる手段で元素をリサイクルできるようにします。
なお、電解質には、リチウムや電導性セラミックスなどを用います。また、電磁波防止素材には、金、銀、銅やニッケル、コバルト、アモルファス合金などを縦と横に編んで製造します。さらに、鉄やアルミなども電磁波防止素材に用い＿ます。同様に、これらの素材も編ます。
これらの方法を実現する原子核融合炉、原子核解体炉、原子核形成炉、水処理機器など、すべての機器にこの電磁石を付けて、製造し、販売します。そのため、この電磁石を製造する特許を請求します。
研究を続けて分かった事があります。それは、時短旅行の方法です。光は、生放送の中継の時間差や星の光が地球に届くまでの時間差のように、過去から未来に向かう速度が速いです。光であれば、過去から未来に送ることが出来ます。例えば、地球から十分に離れた宇宙空間に鏡を置き、地球から光を放ち、宇宙空間の鏡に反射させ、その光が地球に戻ってくれば、光が地球上で過去から未来に向かう事になります。この事は、生放送の中継の時間差や星の光が地球に届くまでの時間差を考えれば、実現できるでしょう。この着想から、時短旅行を考えます。時短旅行の手段は、大きく３つあります。光と質量が同じ速度で移動するか、あるいは、質量を再現できる光が、十分に離れた宇宙空間で鏡などの反射物質に反射して、地上に戻ってくれば、過去から未来に時短旅行が出来ます。過去の実体は捨てます。
次に、光速よりも速いニュートリノで質量が再現できれば、十分に離れた宇宙空間や星などで質量を再現し、元の過去の星に質量を再現できるニュートリノが戻って来れれば、未来から過去に時短旅行が出来るでしょう。
未来の実体は捨てます。
最後に、恒星やブラック・ホールと同じ増え方をする宇宙船が恒星やブラック・ホールを通過し、この宇宙船から小型の宇宙船等が過去の宇宙船と住復できれば、未来と過去の両方に時短旅行した事になります。この宇宙船は、無人でも可能です。
これらの機器にも、この電磁石を用いる予定です。
この電磁石を製造し、販売する特許を請求します。
【手続補正２】
【補正対象書類名】明細書
【補正対象項目名】０００３
【補正方法】変更
【補正の内容】
【０００３】
【非特許文献１】ウェブページのウィキペディアです。その中の発電機とイオン、β崩壊、チェレンコフ放射を調べました。
【非特許文献２】検索エンジングーグルで電磁波防止素材を検索しました。
【非特許文献３】電子辞書、ＣＡＳＩＯ、ＥＸ−ｗｏｒｄ．重力、電解質、電磁波、電磁気、単極、発電機、電気分解、炭素、鉄、イオン・ファラデー、陽イオン、陰イオン、電気、電流、電子、電線、銅、亜鉛、陽極、陰極、陽子、中性子、α線、β線、γ線、α崩壊、β崩壊、半減期、水素、ヘリウム、塩化ナトリウム、塩素、水、酸素、空気、ウラン、セシウム、リチウム、ゲル、伝導、セラミックス、Ｘ線、光、金、銀、ニッケル、コバルト、アモルファス、非晶質金属、アルミ、元素、酸化、還元、原子炉、圧縮、心臓、弁、ピストン、多角形、サッカー、太陽、地球、天王星、自転、公転、無重力、ケプラーの法則、万有引力、相対性理論、特殊相対性理論、正電荷、ニュートリノ、電荷、陽電気、陰電気、負電気、太陽風、超新星、中性子星、パルサー、ブラック・ホール、電磁石、海水、水蒸気、雲、積乱雲、雷雨、雨、雷、編む、活性炭などを参照
【非特許文献４】関藤裕司、三國均、２００５、増補改訂版新・化学入門、駿台文庫、ＰＰ１３３−１４８、ＰＰ３００−３０１、ＰＰ１００−１０１、Ｐ１５７を参照
【非特許文献５】竹内均、１９８９、基礎からよくわかる物理、旺文社、ＰＰ１８２−２６６、ＰＰ２７０−３０７を参照
【非特許文献６】金村聖志、２０１１、電気化学基礎と応用、化学同人、ＰＰ６６−１０４参照
【非特許文献７】直川一也、１９９４、電気の歴史  第２版、東京電機大学出版局、Ｐ８９参照、
【非特許文献８】大浜庄司、２００４、なるほどナットク！シーケンス制御がわかる本、オーム社、ＰＰ５０−６６参照、
【非特許文献９】廣瀬隆行、２０１１、企業人・大学人のための知的財産権入門−特許法を中心に−第２版、東京化学同人．
【非特許文献１０】栗原浩之、村中克年、２００４、ひとりでできる特許・実用新案のとり方、成美堂出版、ＰＰ１０８−１１１参照
【非特許文献１１】特許庁ホームページ
【非特許文献１２】長沢工、２００１、宇宙の基礎教室、地人書館、ＰＰ３−８４参照
【非特許文献１３】横山広美、２００６、図解入門よくわかる素粒子の基本と仕組み、秀和システム、ＰＰ２２−２４参照
【非特許文献１４】松田卓也（監修）、三省堂編修所（編）、２００９、三省堂新物理小事典、Ｐ３６４、Ｐ１１２、Ｐ３９６、ＰＰ６１−６２、Ｐ３１８参照
【非特許文献１５】バイオサイエンス研究所（編）、２００７、バイオサイエンス、オーム社、Ｐ３４２参照
【非特許文献１６】加藤やすこ（著）、出村守（監修）、２００４、プロブレムＱ＆Ａ電磁波・化学物質過敏症対策、緑風出版、ＰＰ１２４−１２９参照
【非特許文献１７】２０１１年３月１１日に発生した東北地方太平洋沖地震のニュース
【非特許文献１８】江里口良治、２００４、宇宙の科学第５刷、東京大学出版会、ＰＰ４６−５０参照、ＰＰ５３−５４参照
【非特許文献１９】福田務、栗原豊、向坂栄夫（共著）、１９８０、絵とき電気理論、オーム社
【非特許文献２０】栗田工業（株）、２００８、入門ビジュアル・テクノロジーよくわかる水処理技術第５刷、日本実業出版社
【非特許文献２１】２０１１年９月２３日、名古屋大学と神戸大学などが属する日本のチームと欧州のチーム、欧州合同原子核研究所（ＣＥＲＮ）が観測した『光速超えるニュートリノを日欧チームが観測、「時間旅行も可能」』というニュース
【非特許文献２２】リチャード  Ｐ．ファインマン、ロバート  Ｂ．レイトン、マシュー・サンズ、（共著）、戸田盛和（訳）、ファインマン物理学ＩＶ電磁波と物性、岩波書店、ＰＰ６−８参照
【非特許文献２３】リチャード  Ｐ．ファインマン（著）、大場一郎（訳）、１９９２、ファインマン・レクチャー  素粒子物理学、丸善．ＰＰ３５−３８参照．
【手続補正書】
【提出日】平成24年3月12日(2012.3.12)
【手続補正１】
【補正対象書類名】特許請求の範囲
【補正対象項目名】請求項１
【補正方法】変更
【補正の内容】
【請求項１】
私は、すべての電磁石に電解質と電磁波防止素材を用います。この特許を請求します。そして、このような電磁石を製造し、販売します。
例えば、以下の方法に用いる電磁石も含みます。水素の電子をＸ線で取り除き、４つの陽子と２つの電子の組合わせとなるように可視光線でこれらを付けて、ヘリウムとエネルギーを取り出し、水素、ヘリウム等の元素を繰返して圧縮しながらエネルギーを得る方法です。元素はリサイクルします。また、電磁波防止素材を用いて、陽子と中性子を付ける電磁気力の影響を防いで中性子をβ崩壊させ、エネルギーを得る方法、可視光線等の電磁波や電磁気を与えて陽子と中性子を付ける方法、元素を酸化や還元させて電子を増減させる方法、何もない空間を未来の宇宙で限りなく小さくなるまで覆い、未来の宇宙から何も無い空間に外側から働きかけて中性子に変える方法等です。最後の方法は、後述です。
元素をリサイクルする方法は、以下の通りです。電磁波防止素材などを用いて、中性子を自由にします。この自由な中性子は、１５分程度後にβ崩壊が生じます。また、電磁気を与えて陽子と中性子を付ける方法は、正電荷に光などを当てて水素などの元素を発生させる方法です。さらに、セシウムは、空気中で酸化・燃焼し、水と激しく反応して水を分解し、水素を発生させます。
なお、電解質には、リチウムや電導性セラミックスなどを用います。また、電磁波防止素材には、金、銀、銅やニッケル、コバルト、アモルファス合金などを縦と横に編んで製造します。さらに、鉄やアルミなども電磁波防止素材に用います。同様に、これらの素材も編ます。
これらの方法を実現する原子核融合炉、原子核解体炉、原子核形成炉、水処理機器など、すべての機器にこの電磁石を付けて、製造し、販売します。そのため、この電磁石を製造する特許を請求します。
研究を続けて分かった事があります。それは、時短旅行の方法です。光は、生放送の中継の時間差や星の光が地球に届くまでの時間差のように、過去から未来に向かう速度が速いです。光であれば、過去から未来に送ることが出来ます。例えば、地球から十分に離れた宇宙空間に鏡を置き、地球から光を放ち、宇宙空間の鏡に反射させ、その光が地球に戻ってくれば、光が地球で過去から未来に向かう事になります。この事は、生放送の中継の時間差や星の光が地球に届くまでの時間差を考えれば、実現できるでしょう。この着想から、時短旅行を考えます。時短旅行の手段は、大きく３つあります。
光と質量が同じ速度で移動するか、あるいは、質量を再現できる電磁波が、十分に離れた宇宙空間で鏡等の反射物質に反射して、地上に戻ってくれば、過去から未来に時短旅行が出来ます。過去の実体は捨てます。
次に、光速よりも速いチェレンコフ放射の荷電粒子等で質量が再現できれば、十分に離れた宇宙空間や他の星等で光速よりも速いチェレンコフ放射の荷電粒子等で質量を再現し、再び、元の過去の宇宙空間や星等で質量を再現できると、未来から過去に時短旅行が出来るでしょう。未来の実体は捨てます。チェレンコフ放射の荷電粒子は、光速よりも速ければ、チェレンコフ光を放射します。また、質量は鏡のように再現します。例えば、水素原子を作る目的で、可視光線を鏡に当てて、可視光線が反射した先で、陽子と電子が電磁気力で付けば、時短移動の技術は、過去から未来に向かって原理的に可能です。
最後に、恒星やブラックホールと同じ増え方をする宇宙船が恒星やブラックホールを通過し、この宇宙船から小型の宇宙船等が過去の宇宙船と往復できれば、未来と過去の両方に時短旅行した事になります。この宇宙船は無人でも可能です。
これらの機器にも、この電磁石を用いる予定です。この電磁石を製造し、販売する特許を請求します。
【手続補正２】
【補正対象書類名】明細書
【補正対象項目名】０００３
【補正方法】変更
【補正の内容】
【０００３】
【非特許文献１】ウェブページのウィキペディアです。その中の発電機とイオン、β崩壊、チェレンコフ放射を調べました。
【非特許文献２】検索エンジングーグルで電磁波防止素材を検索しました。
【非特許文献３】電子辞書、ＣＡＳＩＣ、ＥＸ−ｗｏｒｄ、チェレンコフ効果、重力電解質、電磁波、電磁気、単極、発電機、電気分解、炭素、鉄、極限イオン、ファラデー、陽イオン、陰イオン、電気、電流、電子、電線、銅、亜鉛，覆う、陽極、陰極、陽子、中性子、α線、β線、γ線、α崩壊、β崩壊、半減期、水素、ヘリウム、塩化ナトリウム、塩素、水、酸素、空気、ウラン、セシウム  リチウム、ゲル、伝導、セラミックス、体積、Ｘ線、光、金、銀、ニッケル、コバルト、アモルファス、非晶質金属、アルミ、元素、酸化、還元、原子炉、圧縮、心臓、弁、ピストン、多角形、サッカー、太陽、地球、天王星、自転、公転、無重力、ケプラーの法則、万有引力、相対性理論、特殊相対性理論、正電荷、ニュートリノ、電荷、陽電気、陰電気、負電気、太陽風、超新星、中性子星、パルサー、ブラックホール、電磁石、海水、水蒸気、雲、積乱雲、雷雨、雨、雷、編む、活性炭などを参照
【非特許文献４】関藤裕司、三國均、２００５−増補改訂版新・科学入門、駿台文庫、ＰＰ１３３−１４８、ＰＰ３００−３０１、ＰＰ１００−１０１、Ｐ１５７を参照
【非特許文献５】
2013135206.tif 000005
【非特許文献６】金村聖志  ２０１１．電気化学基礎と応用、科学同人、ＰＰ６６−１０４参照
【非特許文献７】直川一也、１９９４、電気の歴史  第２版、東京電機大学出版局、Ｐ８９参照
【非特許文献８】大浜庄司、２００４、なるほどナットク！シーケンス制御がわかる本、オーム社、ＰＰ５０−６０参照
【非特許文献９】廣瀬隆行、２０１１、企業人・大学人のための知的財産権入門−特許法を中心に−第２版  東京科学同人
【非特許文献１０】
2013135206.tif 000006
【非特許文献１１】特許庁ホームページ
【非特許文献１２】長沢工、２００１、宇宙の基礎教室、地人書館、ＰＰ３−８４参照
【非特許文献１３】
2013135206.tif 000007
【非特許文献１４】
2013135206.tif 000008
【非特許文献１５】バイオサイエンス研究所（編）２００７．バイオサイエンス、オーム社、Ｐ３４２参照
【非特許文献１６】加藤やすこ（著）出村守（監修）、２００４．プロブレムＱ＆Ａ電磁波・化学物質過敏症対策、緑風出版、ＰＰ１２４−１２９参照
【非特許文献１７】２０１１年３月１１日に発生した東北地方太平洋沖地震のニュース
【非特許文献１８】江里口良治、２００４．宇宙の科学第５刷．東京大学出版会、ＰＰ４６−５０参照、ＰＰ５３−５４参照、ＰＰ３７−４１、Ｐ９３参照、Ｐ９２参照
【非特許文献１９】福田務、栗原豊、向坂栄夫（共著）、１９８０、絵とき電気理論、オーム社
【非特許文献２０】栗田工業（株）、２００８、入門ビジュアル・テクノロジーよくわかる水処理技術第５刷．日本実業出版社
【非特許文献２１】２０１１年９月２３日、名古屋大学と神戸大学などが属する日本のチームと欧州のチーム、欧州合同原子核研究所（ＣＥＲＮ）が観測した『光速越えるニュートリノを日欧チームが観測、「時間旅行も可能」』というニュース
【非特許文献２２】リチャード  Ｐ．ファインマン、ロバート  Ｂ．レイトン、マシュー・サンズ、（共著）戸田盛和（訳）ファインマン物理学ＩＶ電磁波と物性、岩波書店、ＰＰ６−８参照
【非特許文献２３】リチャード  Ｐ．ファインマン（著）、大場一郎（訳）、１９９２、ファインマン・レクチャー  素粒子物理学、丸善．ＰＰ３５−３８参照．